(57)【要約】【課題】ドキュメントの文書領域に対する属性値の付与およびドキュメント管理処理を効率的に正確に実行可能とした装置、および方法を提供する。【解決手段】ドキュメントの文書領域に属性値を付与し、属性値付与ドキュメント画像から属性を取得し、取得属性に基づくインデックスを設定する処理を行なう構成において、マーカー色による属性値付与処理における指示情報、評価情報を活用し、処理を実行するオペレータに対して適切な指示を提供可能とした。本構成により、例えば再処理を行なう際に、前回と同じミスの発生を防止し、さらに新たな処理における注意事項などを知ることが可能となり、効率的で正確なインデックス付与およびドキュメントデータ管理が実現される。【選択図】図１０
2007219682.tif 000002
【特許請求の範囲】
【請求項１】
属性値設定対象となる原稿データを入力し、属性値設定に関する指示情報データを記憶部から取得して、前記原稿データと前記指示情報データを合成した合成ドキュメントを生成するデータ合成手段と、
前記合成手段の生成した合成ドキュメントを出力するデータ出力手段と、
を有することを特徴とする情報処理装置。
【請求項２】
前記データ合成手段は、
前記原稿データの各ページに、ページ対応の指示情報データを設定した合成ドキュメントを生成する構成であることを特徴とする請求項１に記載の情報処理装置。
【請求項３】
前記データ合成手段は、
属性値に対応するマーカー色の変更情報、および属性値付与の再処理の要否の少なくともいずれかの情報を含む指示情報データを含む合成ドキュメントを生成する構成であることを特徴とする請求項１に記載の情報処理装置。
【請求項４】
前記データ合成手段は、
コメント記入欄を設定した合成ドキュメントを生成する構成であることを特徴とする請求項１に記載の情報処理装置。
【請求項５】
マーカーによる属性値の設定されたマーカー記入済み原稿データを入力し、該マーカー記入済み原稿データについての属性値付与状況の解析および評価を実行するデータ評価手段と、
前記データ評価手段における評価情報に基づいて、指示情報データを生成する指示情報生成手段と、
属性値設定対象となる原稿データを入力し、該原稿データと前記指示情報データを合成した合成ドキュメントを生成するデータ合成手段と、
前記合成手段の生成した合成ドキュメントを出力するデータ出力手段と、
を有することを特徴とする情報処理装置。
【請求項６】
前記指示情報生成手段は、
前記データ評価手段における評価情報に基づいて、情報処理装置の記憶部に登録された評価情報対応の指示情報を選択する処理を実行する構成であることを特徴とする請求項５に記載の情報処理装置。
【請求項７】
前記データ合成手段は、
属性値に対応するマーカー色の変更情報の要否情報を有する指示情報データを含む合成ドキュメントを生成する構成であることを特徴とする請求項５に記載の情報処理装置。
【請求項８】
情報処理装置において、ドキュメント生成処理を実行する情報処理方法であり、
データ合成手段において、属性値設定対象となる原稿データを入力し、属性値設定に関する指示情報データを記憶部から取得し、前記原稿データと前記指示情報データを合成した合成ドキュメントを生成するデータ合成ステップと、
データ出力手段において、前記合成手段の生成した合成ドキュメントを出力するデータ出力ステップと、
を有することを特徴とする情報処理方法。
【請求項９】
前記データ合成ステップは、
前記原稿データの各ページに、ページ対応の指示情報データを設定した合成ドキュメントを生成するステップであることを特徴とする請求項８に記載の情報処理方法。
【請求項１０】
前記データ合成ステップは、
属性値に対応するマーカー色の変更情報、および属性値付与の再処理の要否の少なくともいずれかの情報を含む指示情報データを含む合成ドキュメントを生成するステップであることを特徴とする請求項８に記載の情報処理方法。
【請求項１１】
前記データ合成ステップは、
コメント記入欄を設定した合成ドキュメントを生成するステップであることを特徴とする請求項８に記載の情報処理方法。
【請求項１２】
情報処理装置において、ドキュメント生成処理を実行する情報処理方法であり、
データ評価手段において、マーカーによる属性値の設定されたマーカー記入済み原稿データを入力し、該マーカー記入済み原稿データについての属性値付与状況の解析および評価を実行するデータ評価ステップと、
指示情報生成手段において、前記データ評価手段における評価情報に基づいて、指示情報データを生成する指示情報生成ステップと、
データ合成手段において、属性値設定対象となる原稿データを入力し、該原稿データと前記指示情報データを合成した合成ドキュメントを生成するデータ合成ステップと、
データ出力手段において、前記合成手段の生成した合成ドキュメントを出力するデータ出力ステップと、
を有することを特徴とする情報処理方法。
【請求項１３】
前記指示情報生成ステップは、
前記データ評価手段における評価情報に基づいて、情報処理装置の記憶部に登録された評価情報対応の指示情報を選択する処理を実行するステップであることを特徴とする請求項１２に記載の情報処理方法。
【請求項１４】
前記データ合成ステップは、
属性値に対応するマーカー色の変更情報の要否情報を有する指示情報データを含む合成ドキュメントを生成する構成であることを特徴とする請求項１２に記載の情報処理方法。
【請求項１５】
情報処理装置において、ドキュメント生成処理を実行させるコンピュータ・プログラムであり、
データ合成手段において、属性値設定対象となる原稿データを入力し、属性値設定に関する指示情報データを記憶部から取得し、前記原稿データと前記指示情報データを合成した合成ドキュメントを生成させるデータ合成ステップと、
データ出力手段において、前記合成手段の生成した合成ドキュメントを出力させるデータ出力ステップと、
を実行させることを特徴とするコンピュータ・プログラム。
【請求項１６】
情報処理装置において、ドキュメント生成処理を実行させるコンピュータ・プログラムであり、
データ評価手段において、マーカーによる属性値の設定されたマーカー記入済み原稿データを入力し、該マーカー記入済み原稿データについての属性値付与状況の解析および評価を実行させるデータ評価ステップと、
指示情報生成手段において、前記データ評価手段における評価情報に基づいて、指示情報データを生成させる指示情報生成ステップと、
データ合成手段において、属性値設定対象となる原稿データを入力し、該原稿データと前記指示情報データを合成した合成ドキュメントを生成させるデータ合成ステップと、
データ出力手段において、前記合成手段の生成した合成ドキュメントを出力させるデータ出力ステップと、
を実行させることを特徴とするコンピュータ・プログラム。
【発明の詳細な説明】
【技術分野】
【０００１】
本発明は、情報処理装置、および情報処理方法、並びにコンピュータ・プログラムに関する。さらに詳細には、本発明は、文書画像から属性を取得し、それら属性毎に区別したテキストデータ化処理、あるいはデータベース化処理を行なう際、確認や訂正の支援を行なうことで効率的で正確なインデックス抽出に基づくデータ処理を可能とした情報処理装置、および情報処理方法、並びにコンピュータ・プログラムに関する。
【背景技術】
【０００２】
文書ドキュメントに対するデータ処理分野において、例えば文書画像データから文書領域毎の属性を取得し、属性毎に画像領域を分類した後に、文字認識処理（ＯＣＲ：Ｏｐｔｉｃａｌ  Ｃｈａｒａｃｔｅｒ  Ｒｅｃｏｇｎｉｔｉｏｎ）を行い、分類されたテキストデータを生成してデータベースに保存するという処理がインデックス抽出処理として知られている。このインデックス抽出処理を開示した従来技術としては、例えば特許文献１，２がある。
【０００３】
また、予め決められた文書フォームを規定し、この文書フォームに追記可能な追記領域を設定し、その指定追記領域に、位置情報を埋め込み、ドキュメントからの追記情報抽出時に、原本との照合を不要として効率的に追記情報を取得する構成が特許文献３に記載されている。さらに、ドキュメントの分割領域に、領域を識別する情報を埋め込み、追記情報の抽出時に領域から効率的に追記情報の抽出を行なう処理構成が特許文献４に記載されている。
【０００４】
さらに、紙原稿に対する変更処理、例えば追記が行われた場合に、変更箇所を特定して抽出し、抽出した変更箇所情報をオリジナル情報にデータとして追加して管理する構成、例えばいわゆる追記部抽出処理構成について特許文献５，６などに記載されている。また、スキャナを適用したデータ読み取りを適用した処理構成として、編集内容指示書、レイアウト図、さらに処理対象原稿をスキャナによって順次読み取り、編集内容指示書の指示内容とレイアウト図の内容とに基づいて、原稿から読み取られた複数の原稿データを自動的に編集する、いわゆるペーパＵＩと呼ばれる処理構成が特許文献７に記載されている。また、原稿画像情報とシート種別情報とマーク欄情報に基づいて複合処理指示シートイメージを生成し、出力することで、複合画像処理指示シートに対するマーク指示で登録されたファイルを複合処理可能とした構成が特許文献８に記載されている。
【特許文献１】特開平５−３４２３２６号公報
【特許文献２】特開２００２−１２３８１５号公報
【特許文献３】特開２００３−２７１９４２号公報
【特許文献４】特開２００３−１８３９３号公報
【特許文献５】特開平１０−２５５０２７号公報
【特許文献６】特開平１１−２７２６５４号公報
【特許文献７】特開平５−１３５１５０号公報
【特許文献８】特開平８−１１６３８９号公報
【発明の開示】
【発明が解決しようとする課題】
【０００５】
上述したように、ドキュメントに対するデータ処理において、ドキュメントに含まれる様々なデータを種類毎に区分、いわゆるカテゴライズしてデータベースなどの記憶部にデータとして分類保存するための様々な技術が提案されている。しかし、文書ドキュメントに含まれる文書領域から属性を抽出する処理の自動化には性能的な限界があり、正確な属性抽出を行なうためには、人（オペレータ）の介入を必要としているのが現状である。
【０００６】
人（オペレータ）の介入によって属性抽出を行なう場合、所定の属性に対応する属性値を紙原稿に人がマークし、その原稿をスキャンした後にマーク領域の情報を属性値として抽出するといった処理が行なわれることになる。例えば赤のマーカー設定部は日付データであり、青のマーカー設定部は文書名データであるなど、予め情報の種類とマーカーの色の対応を設定して、マーカーの色を判別して属性情報を取得する構成である。
【０００７】
しかし、このような人（オペレータ）の介入によって属性抽出を行なう処理構成では、以下のような課題が生ずる。例えば、人（オペレータ）が、ドキュメントの各文書領域の属性を判別して属性値を紙原稿に人がマークしてデータベースに格納した後で、その判断に誤りがあることが検出されると、処理対象ドキュメントを再プリントして、正しい属性値を再記入して、さらにその正しい属性値が記入されたドキュメントをスキャンし、データベースに格納済みのデータとの置き換えを行なうといった非効率的な処理が必要となる。
【０００８】
また、属性値の記入ができない文書領域等が発生することがあるが、このような場合、データベースに格納された情報には、記入のできない理由は格納されていないので後でその理由を知ることが出来ない。その結果、単なる記入ミスであるのか、何らかの理由が存在するのかといったことが分からず、データ記入の再入力や訂正が必要であるか否かの判断ができなくなるという問題がある。
【０００９】
本発明は、上述の問題点に鑑みてなされたものであり、文書画像から属性を取得し、それら属性毎に区別したテキストデータ化処理、あるいはデータベース化処理を行なう際、確認や訂正の支援を行なうことで効率的で正確なインデックス抽出に基づくデータ処理を可能とした情報処理装置、および情報処理方法、並びにコンピュータ・プログラムを提供することを目的とする。
【課題を解決するための手段】
【００１０】
本発明の第１の側面は、
属性値設定対象となる原稿データを入力し、属性値設定に関する指示情報データを記憶部から取得して、前記原稿データと前記指示情報データを合成した合成ドキュメントを生成するデータ合成手段と、
前記合成手段の生成した合成ドキュメントを出力するデータ出力手段と、
を有することを特徴とする情報処理装置にある。
【００１１】
さらに、本発明の情報処理装置の一実施態様において、前記データ合成手段は、前記原稿データの各ページに、ページ対応の指示情報データを設定した合成ドキュメントを生成する構成であることを特徴とする。
【００１２】
さらに、本発明の情報処理装置の一実施態様において、前記データ合成手段は、属性値に対応するマーカー色の変更情報、および属性値付与の再処理の要否の少なくともいずれかの情報を含む指示情報データを含む合成ドキュメントを生成する構成であることを特徴とする。
【００１３】
さらに、本発明の情報処理装置の一実施態様において、前記データ合成手段は、コメント記入欄を設定した合成ドキュメントを生成する構成であることを特徴とする。
【００１４】
さらに、本発明の第２の側面は、
マーカーによる属性値の設定されたマーカー記入済み原稿データを入力し、該マーカー記入済み原稿データについての属性値付与状況の解析および評価を実行するデータ評価手段と、
前記データ評価手段における評価情報に基づいて、指示情報データを生成する指示情報生成手段と、
属性値設定対象となる原稿データを入力し、該原稿データと前記指示情報データを合成した合成ドキュメントを生成するデータ合成手段と、
前記合成手段の生成した合成ドキュメントを出力するデータ出力手段と、
を有することを特徴とする情報処理装置にある。
【００１５】
さらに、本発明の情報処理装置の一実施態様において、前記指示情報生成手段は、前記データ評価手段における評価情報に基づいて、情報処理装置の記憶部に登録された評価情報対応の指示情報を選択する処理を実行する構成であることを特徴とする。
【００１６】
さらに、本発明の情報処理装置の一実施態様において、前記データ合成手段は、属性値に対応するマーカー色の変更情報の要否情報を有する指示情報データを含む合成ドキュメントを生成する構成であることを特徴とする。
【００１７】
さらに、本発明の第３の側面は、
情報処理装置において、ドキュメント生成処理を実行する情報処理方法であり、
データ合成手段において、属性値設定対象となる原稿データを入力し、属性値設定に関する指示情報データを記憶部から取得し、前記原稿データと前記指示情報データを合成した合成ドキュメントを生成するデータ合成ステップと、
データ出力手段において、前記合成手段の生成した合成ドキュメントを出力するデータ出力ステップと、
を有することを特徴とする情報処理方法にある。
【００１８】
さらに、本発明の情報処理方法の一実施態様において、前記データ合成ステップは、前記原稿データの各ページに、ページ対応の指示情報データを設定した合成ドキュメントを生成するステップであることを特徴とする。
【００１９】
さらに、本発明の情報処理方法の一実施態様において、前記データ合成ステップは、属性値に対応するマーカー色の変更情報、および属性値付与の再処理の要否の少なくともいずれかの情報を含む指示情報データを含む合成ドキュメントを生成するステップであることを特徴とする。
【００２０】
さらに、本発明の情報処理方法の一実施態様において、前記データ合成ステップは、コメント記入欄を設定した合成ドキュメントを生成するステップであることを特徴とする。
【００２１】
さらに、本発明の第４の側面は、
情報処理装置において、ドキュメント生成処理を実行する情報処理方法であり、
データ評価手段において、マーカーによる属性値の設定されたマーカー記入済み原稿データを入力し、該マーカー記入済み原稿データについての属性値付与状況の解析および評価を実行するデータ評価ステップと、
指示情報生成手段において、前記データ評価手段における評価情報に基づいて、指示情報データを生成する指示情報生成ステップと、
データ合成手段において、属性値設定対象となる原稿データを入力し、該原稿データと前記指示情報データを合成した合成ドキュメントを生成するデータ合成ステップと、
データ出力手段において、前記合成手段の生成した合成ドキュメントを出力するデータ出力ステップと、
を有することを特徴とする情報処理方法にある。
【００２２】
さらに、本発明の情報処理方法の一実施態様において、前記指示情報生成ステップは、前記データ評価手段における評価情報に基づいて、情報処理装置の記憶部に登録された評価情報対応の指示情報を選択する処理を実行するステップであることを特徴とする。
【００２３】
さらに、本発明の情報処理方法の一実施態様において、前記データ合成ステップは、属性値に対応するマーカー色の変更情報の要否情報を有する指示情報データを含む合成ドキュメントを生成する構成であることを特徴とする。
【００２４】
さらに、本発明の第５の側面は、
情報処理装置において、ドキュメント生成処理を実行させるコンピュータ・プログラムであり、
データ合成手段において、属性値設定対象となる原稿データを入力し、属性値設定に関する指示情報データを記憶部から取得し、前記原稿データと前記指示情報データを合成した合成ドキュメントを生成させるデータ合成ステップと、
データ出力手段において、前記合成手段の生成した合成ドキュメントを出力させるデータ出力ステップと、
を実行させることを特徴とするコンピュータ・プログラムにある。
【００２５】
さらに、本発明の第６の側面は、
情報処理装置において、ドキュメント生成処理を実行させるコンピュータ・プログラムであり、
データ評価手段において、マーカーによる属性値の設定されたマーカー記入済み原稿データを入力し、該マーカー記入済み原稿データについての属性値付与状況の解析および評価を実行させるデータ評価ステップと、
指示情報生成手段において、前記データ評価手段における評価情報に基づいて、指示情報データを生成させる指示情報生成ステップと、
データ合成手段において、属性値設定対象となる原稿データを入力し、該原稿データと前記指示情報データを合成した合成ドキュメントを生成させるデータ合成ステップと、
データ出力手段において、前記合成手段の生成した合成ドキュメントを出力させるデータ出力ステップと、
を実行させることを特徴とするコンピュータ・プログラムにある。
【００２６】
なお、本発明のコンピュータ・プログラムは、例えば、様々なプログラム・コードを実行可能なコンピュータシステムに対して、コンピュータ可読な形式で提供する記憶媒体、通信媒体、例えば、ＣＤやＦＤ、ＭＯなどの記録媒体、あるいは、ネットワークなどの通信媒体によって提供可能なコンピュータ・プログラムである。このようなプログラムをコンピュータ可読な形式で提供することにより、コンピュータシステム上でプログラムに応じた処理が実現される。
【００２７】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２８】
本発明の構成によれば、文書ドキュメントの各領域に属性値を付与し、属性値を付与したドキュメント画像から属性を取得し、これらの取得属性に基づくドキュメント対応のインデックスを設定したデータ処理、あるいはデータベース化処理を行なう情報処理構成において、例えば各種のマーカー色によって属性値を付与する処理における指示情報、評価情報を活用し、属性値の付与処理を実行するオペレータに対して適切な指示を提供可能としたので、例えば再処理を行なう際に、前回と同じミスの発生を防止し、さらに新たな処理における注意事項などを知ることが可能となり、効率的で正確なインデックス付与およびドキュメントデータ管理処理が実現される。
【発明を実施するための最良の形態】
【００２９】
以下、図面を参照しながら本発明の実施形態に係る情報処理装置、および情報処理方法、並びにコンピュータ・プログラムの詳細について説明する。
【００３０】
まず、図１〜図３を参照して、追記部インデックス化処理を利用したドキュメント処理の一般的処理例について説明する。追記部インデックス化処理は、例えば文書ドキュメントに対して、オペレータが、ドキュメント上の文字列などの情報を、カテゴリに応じて設定された特定色のマーカーでチェックする処理を行い、この処理後のドキュメントをスキャナで読み取り、その読み取り画像データから、マーカー色を判別して、ドキュメント上の情報分類を行ない、ドキュメントに対するインデックス情報としてデータベースに格納する処理である。
【００３１】
例えば、マーカーの色に応じて、
赤：ファイル名、
青：日付、
緑：キーワード、
など、情報の種類に応じて、予め利用するマーカー色が対応付けられており、オペレータがドキュメント上から、これらの情報に対応する情報を選択して、それぞれに割り当てられたマーカーでチェックをする。その後、ＰＣ等の情報処理装置において、スキャナで読み取った画像データからマーカーの色情報を取得して、各色情報の指示部分の文書情報などを例えば文字認識（ＯＣＲ）処理などにより、データ化を行い、その文書ドキュメントに対応するインデックス情報としてデータベースに格納する。
【００３２】
例えば、図１に示す情報処理装置５１は、データベース５４に格納された文書ドキュメントを、プリンタ５２を介して出力する。図に示す原本ドキュメント１１である。オペレータは、この原本ドキュメント１１対して、予め設定された情報種類と利用マーカー色の対応に基づいて、マーカーによる追記を行なう。この結果が図に示す追記ドキュメント１２である。
【００３３】
例えば、追記ドキュメントには、赤、青、緑のマーキング２１〜２３がなされており、これらは、予め定められたルールに基づいてマーキングされたものである。例えば、マーカーの色と情報種類の対応が、
赤：ファイル名、
青：日付、
緑：キーワード、
として設定されている。この追記ドキュメント１２はスキャナ５３によって読み取られて、情報処理装置５１においてデータ処理がなされ、処理対象文書ドキュメントに対応するインデックス情報の設定処理がなされる。
【００３４】
図２を参照して、情報処理装置５１において実行されるインデックス設定処理について説明する。データベース５４には、図１において説明した原本ドキュメント１１に対応するドキュメントデータファイル７１が格納され、情報処理装置５１は、図１を参照して説明した追記ドキュメント１２に基づいて、この原本ドキュメント１１に対応するインデックス情報を抽出して、そのドキュメントに対応するインデックス情報としてデータベース５４に格納する。
【００３５】
情報処理装置は、マーカーの色と情報種類の対応情報、すなわち、
赤：ファイル名、
青：日付、
緑：キーワード、
これらの対応情報に基づいて、追記ドキュメント１２から情報を読み取り、文字認識処理（ＯＣＲ）などを併用して、図２に示す各インデックス情報を取得する。図に示す例では、
（１）マーカー色＝赤→ファイル名：「連絡書」、「セキュリティ対策講座CD-ROM配布・展開の件」
（２）マーカー色＝青→日付：「２００４年３月２９日」
（３）マーカー色＝緑→キーワード：「セキュリティ対策講座  ネットワーク社会のここが危ない！！」
これらのインデックス情報が、追記ドキュメント１２から抽出され、このドキュメントのインデックス情報としてデータベース５４に格納される。
【００３６】
このインデックス付与処理の一連のシーケンスについて、図３を参照して説明する。図３に示すドキュメント１０１がインデックス抽出処理対象となるドキュメントである。ステップ１１において、オペレータが、このドキュメント１１に対して、予め定められた情報の種類に対応するマーカー色を用いてマーカー追記を実行して、マーカー追記ドキュメント１０２を生成する。
【００３７】
情報処理装置は、スキャナによって、このマーカー追記ドキュメント１０２を読み取り、データ処理（ステップＳ１２の色アノテーション抽出処理）を実行する。
赤：ファイル名、
青：日付、
緑：キーワード、
これらの対応情報に基づいて、マーカー追記ドキュメント１０２から、それぞれの情報を抽出する。図に示すように、
（１）赤マーカー記録データ１０３ａ、
（２）青マーカー記録データ１０３ｂ、
（３）緑マーカー記録データ１０３ｃ、
これらのデータが抽出される。
【００３８】
情報処理装置は、ステップＳ１３において、これらの抽出データから文字列抽出を実行し、図に示すように、
（１）インデックスデータ１０４ａ＝［マーカー色＝赤→ファイル名：「連絡書」、「セキュリティ対策講座CD-ROM配布・展開の件」］
（２）インデックスデータ１０４ｂ＝［マーカー色＝青→日付：「２００４年３月２９日」］
（３）インデックスデータ１０４ｃ＝［マーカー色＝緑→キーワード：「セキュリティ対策講座  ネットワーク社会のここが危ない！！」］
これらのインデックス情報を取得して、ドキュメント１０１のインデックス情報としてデータベースに格納する。
【００３９】
このようにドキュメントに含まれる様々なデータを種類毎に区分、いわゆるカテゴライズしてデータベースなどの記憶部にドキュメント対応のインデックス情報を格納することが可能となる。このような処理において、マーカーの記入は、人（オペレータ）が実行する。しかし、マーカーによるチェック後、インデックス設定処理を行なってデータベースに格納後に誤りがあることが検出されると、処理対象ドキュメントを再プリントして、処理をやり直すことが必要であり、前述したようにこの処理は非効率的な処理となる。また、前述したように、マーカー（属性値）の記入不可領域の発生時の対応も困難となる。すなわち、データ記入の再入力や訂正が必要であるか否かの判断ができなくなるという問題がある。
【００４０】
本発明の情報処理装置では、このような問題点を解決すべく、追記部インデックス化処理における確認や訂正支援構成により、効率的で正確なインデックス抽出に基づくデータ処理を可能とする。図４以下を参照して本発明の情報処理装置の実行する処理の詳細について説明する。
【００４１】
図４は、本発明の情報処理装置３００の実行する処理の一例を示す図である。本発明の情報処理装置は、追記部インデックス化処理によってインデックスを設定するドキュメント２０１と、指示情報データ２０２とを合成して、プリンタを介して処理用の紙ドキュメント２０３を出力する。
【００４２】
ドキュメント２０１は、データベースあるいは情報処理装置内の記憶部に格納されたデータ、あるいはスキャナによって読み込まれたデータなどである。指示情報データ２０２は、情報処理装置３００内の記憶部に記録されたデータであり、オペレータによる属性値（マーカー色）設定の際の指示、支援情報が記録されている。
【００４３】
情報処理装置３００は、ドキュメント２０１の各ページに指示情報データ２０２を付け加えた紙ドキュメント２０３を出力する。紙ドキュメント２０３は、図に示すように原稿領域２１１、指示情報領域２１２、およびコメント記入領域２１３を有する。
【００４４】
指示情報領域２１２は、オペレータによる指示情報を記録する領域であり、
（ａ）色変更の有無
（ｂ）オペレータによる再記入の要否
（ｃ）手入力による属性値の付与の要否
の各記入項目が付与されている。
なお、情報処理装置による出力紙ドキュメント２０３には全てドキュメント識別子としてのＩＤが設定され、ＩＤ情報が記録されている。このＩＤ情報はスキャナ読み取りの際に取得され、情報処理装置において、スキャナによって取得された情報がどのドキュメントの情報であるかが確認される。
【００４５】
紙ドキュメント２０３に対して、オペレータは、マーカーを適用した追記処理、すなわち、マーカーによる属性値（マーカー色）付与を実行する。オペレータは、この紙ドキュメント２０３の左側の原稿領域２１１に対してマーカー色による属性値設定処理を行うとともに、必要に応じて、紙ドキュメント２０３の指示情報領域２１２に必要情報を記録し、またコメント記入領域２１３にコメントを記入することができる。
【００４６】
図５を参照して、オペレータによる処理例について説明する。オペレータは、図５に示す紙ドキュメント２０３に対して属性値（マーカー色）付与および、指示情報データ部に対して必要情報の書き込みを実行する。その結果の一例が、記入済みドキュメント２０４である。
【００４７】
記入済みドキュメント２０４は、原稿領域２２１、指示情報領域２２２、およびコメント記入領域２２３を有し、原稿領域には、オペレータによって、所定のルール、すなわち、情報内容と属性値（マーカー色）との対に基づくマーカー色の設定がなされる。
【００４８】
さらに、指示情報領域２２２には、オペレータによる指示情報が記入される。指示情報領域２２２には、
（ａ）色変更の有無として、黄色のマーカー付与が設定されていた情報カテゴリについて、マーカーの色を変更（黄→青）に変更したこと、
（ｂ）オペレータによる再記入の要否において、オペレータによる再記入が必要であることが記録されている。
また、コメント記入領域２２３には、緑のマーカー部分が、属性値の付与ができない領域であるとのコメントが記録されている。
【００４９】
これらのデータが記録された記入済みドキュメント２０４は、スキャナ２４１によって読み取られ、情報処理装置３００に入力される。情報処理装置３００は、これらの入力情報の解析を実行する。
【００５０】
情報処理装置３００による記入済みドキュメント２０４の情報解析処理例について、図６を参照して説明する。まず情報処理装置は、記入済みドキュメント２０４の指示情報領域２２２に記録された情報を読み取る。なお、図６には、１つのページの記入済みドキュメント２０４を示してあるが、複数ページのドキュメントについては、各ページが同様の構成を有し、各ページからの情報読み取りを行なう。
【００５１】
情報処理装置は、記入済みドキュメント２０４の指示情報領域２２２に記録された情報に基づいて、オペレータ再記入の指定のあるページのみを選択し、その選択ページのみについて、再度、オペレータによる属性値記入のためのドキュメントを出力する。出力ドキュメントは、マーカーによる記入のない紙ドキュメント２３１であり、図４を参照して説明した初期の紙ドキュメント２０３と同様の設定を持つ。この処理によって、再記入の必要なページのみが効率的に選択され出力される。なお、すべてのドキュメントにはＩＤが設定されており、情報処理装置はＩＤに基づいてドキュメント選択を実行可能である。
【００５２】
さらに、情報処理装置記入済みドキュメント２０４のコメント記入欄２２３の情報に基づいて、属性抽出が不可とされたコメントなど、再処理の必要な情報であると判断した場合、再度、オペレータによる属性値記入のためのドキュメントを出力する。出力ドキュメントは、マーカーによる記入のない紙ドキュメント２３１である。この場合、コメント欄には、情報処理装置記入済みドキュメント２０４のコメント記入欄２２３の情報を記録して出力する構成とする。この処理により、オペレータは、再処理の必要な理由を把握することができ、適切な対処を行なうことができる。
【００５３】
次に、図７〜図９を参照して、本発明の情報処理装置において実行するオペレータに対する評価処理およびオペレーション指示書の生成処理例について説明する。ドキュメントに対する属性値（マーカー色）付与処理は、人（オペレータ）によって実行される処理であり、様々なミスが発生する。本発明の情報処理装置では、このようなミスについての解析を実行し、オペレータに対してフィードバックすることを可能とする。
【００５４】
図７に示すドキュメント２５１は、属性値（マーカー色）の付与処理の対象となるドキュメント２５１であり、オペレータはこのドキュメントに対して、指定ルールに従って、属性値（マーカー色）の付与処理を実行して、記入済みドキュメント２５２を生成する。
【００５５】
情報処理装置３００は、この記入済みドキュメント２５２を、スキャナ２４１を介してデータ入力し、オペレータによる属性値（マーカー色）の付与処理の評価を実行する。図８を参照して評価処理例について説明する。
【００５６】
情報処理装置３００は、記入済みドキュメント２５２に基づいて、例えば、図８に示す評価およびオペレーション指示情報２７１を生成する。評価およびオペレーション指示情報２７１は、例えば、以下の情報によって構成される。
Ａ：文字抽出／ＯＣＲ精度が低い
１．マーカー記入部分の文字認識率が低い
→（指示）ペン色変更をメッセージ、指示項目表示
２．マーカー記入部分に文字列がない、少ない
→（指示）マーカー記入の箇所を正確に
→（指示）地肌部のマーカー記入注意
→（指示）行またがりのマーカー記入注意
Ｂ：色数が指定と異なる
１．色数が指定より多い
→（指示）記入時の色ムラ注意のメッセージ
２．色数が指定より少ない
→（指示）記入し忘れ属性提示、指示項目表示
Ｃ：属性不一致
１．属性−属性値の合致度が低い
→（指示）対応属性誤りを警告
【００５７】
上記の評価およびオペレーション指示情報中（指示）として記録された情報は、評価に基づく対応策として、予め情報処理装置内の記憶部に記録された情報であり、情報処理装置３００は、評価情報に対応する指示情報を情報処理装置内の記憶部から選択する。
【００５８】
情報処理装置は、オペレータが属性値付与を実行するドキュメントに対して、これらの評価に基づくオペレーション指示情報を添付して出力する。このオペレーション指示情報を伴うドキュメントの生成処理例について、図９を参照して説明する。
【００５９】
図９に示す情報処理装置３００は、図９に示す評価およびオペレーション指示情報２７１に基づいて、図９に示すオペレーション指示情報を添付したドキュメント２８１を生成してプリンタ３０２を介して出力する。
【００６０】
ドキュメント２８１は、マーカーによる属性値付与対象のドキュメントを記録した原稿領域２８２と、オペレーション指示情報領域２８３によって構成される。オペレーション指示情報領域２８３には、前述の評価およびオペレーション指示情報２７１の生成時に生成した指示情報が記録される。例えば、属性値に対応するマーカー色の変更情報の要否情報を含む指示情報が記録される。オペレータはこれらの指示情報を確認して、マーカーによる属性値付与を行なう。この指示処理よって、過去に実行されたミスの再発を効率的に防止することができる。
【００６１】
次に、本発明の情報処理装置の構成について説明する。図１０は、本発明の情報処理装置の第１構成例を示すブロック図である。この情報処理装置４００は、先に図４〜図６を参照して説明した処理を実行する情報処理装置である。
【００６２】
情報処理装置４００は、スキャナ４０１または記憶部４０２からデータ入力を行なうデータ入力手段４０３、データ入力手段４０３から入力データを受け取り、データ合成処理を実行するデータ合成手段４０４、データ合成手段４０４の生成したデータを出力するデータ出力手段４０５を有する。データ出力手段４０５は、先に、図４〜図６を参照して説明したドキュメント４１０、すなわち、属性値（マーカー色）の付与対象としての原稿領域４１１と、指示情報領域４１２と、コメント領域４１３を有する。
【００６３】
データ入力手段４０３は、スキャナ４０１または記憶部４０２から属性値（マーカー色）の付与対象としてのドキュメントを入力し、さらに、ドキュメント４１０の指示情報領域４１２に記録すべき指示情報データを記憶部４０２から入力して、データ合成手段４０４に出力する。
【００６４】
データ合成手段４０４は、属性値（マーカー色）の付与対象としてのドキュメントデータと、指示情報データとを合成したデータを生成する。データ合成手段４０４は、原稿データの各ページに、ページ対応の指示情報データを設定し、例えば、属性値に対応するマーカー色の変更情報、属性値付与の再処理の要否情報を含む指示情報を含む合成ドキュメントを生成する。データ出力手段４０５は、データ合成手段４０４の生成したデータを出力する。この結果、属性値（マーカー色）の付与対象としての原稿領域４１１と、指示情報領域４１２と、コメント領域４１３を有するドキュメント４１０が生成されて出力される。
【００６５】
指示情報領域４１２は、オペレータによる指示情報が記録された領域であり、
（ａ）色変更の有無
（ｂ）オペレータによる再記入の要否
（ｃ）手入力による属性値の付与の要否
の各記入項目が付与されている。なお、情報処理装置による出力ドキュメント４１０には全てドキュメント識別子としてのＩＤが設定され、ＩＤ情報が記録されている。このＩＤ情報はスキャナ読み取りの際に取得され、情報処理装置において、スキャナによって取得された情報がどのドキュメントの情報であるかが確認される。
【００６６】
オペレータは、ドキュメント４１０に対して、マーカーを適用した追記処理、すなわち、マーカーによる属性値（マーカー色）付与を実行する。オペレータは、この紙ドキュメント４１０の原稿領域４１１に対してマーカー色による属性値設定処理を行うとともに、必要に応じて、指示情報領域４１２に必要情報を記録し、またコメント記入領域４１３にコメントを記入することができる。
【００６７】
図１０を参照して説明した情報処理装置における処理シーケンスについて、図１１に示すフローチャートを参照して説明する。まず、ステップＳ１０１において、属性値（マーカー色）の付与対象としてのドキュメントデータを入力する。ステップＳ１０２において、記録すべき指示情報データを記憶部から入力する。
【００６８】
ステップＳ１０３において、データ合成手段４０４が、属性値（マーカー色）の付与対象としてのドキュメントデータと、指示情報データとを合成したデータを生成する。ステップＳ１０４において、データ出力手段４０５が、データ合成手段４０４の生成したデータを出力する。この結果、属性値（マーカー色）の付与対象としての原稿領域と、指示情報領域と、コメント領域を有するドキュメントが生成されて出力される。
【００６９】
次に、図１２を参照して本発明の情報処理装置の第２構成例について説明する。図１２に示す情報処理装置４２０は、先に図７〜図９を参照して説明した処理を実行する情報処理装置である。
【００７０】
情報処理装置４２０は、スキャナ４２１または記憶部４２２からデータ入力を行なうデータ入力手段４２３、データ入力手段４２３から入力データを受け取り、データ評価、解析処理を実行するデータ評価、解析手段４２４、データ評価、解析手段４２４の評価情報に基づいて、オペレータ指示情報を生成するオペレータ指示情報生成手段４２５、オペレータ指示情報生成手段４２５の生成した指示情報と、スキャナ４２１または記憶部４２２から入力する処理対象ドキュメントとのデータ合成処理を実行するデータ合成手段４２６、データ合成手段４２６の生成したデータを出力するデータ出力手段４２７を有する。データ出力手段４２７は、先に、図７〜図９を参照して説明したドキュメント４３０を出力する。すなわち、属性値（マーカー色）の付与対象としての原稿領域４３１と、評価結果に基づいて生成されたオペレーション指示情報を記録したオペレーション指示情報領域４３２を有するドキュメント４３０を出力する。
【００７１】
データ入力手段４２３は、スキャナ４２１または記憶部４２２から属性値（マーカー色）の付与処理の済んだ記録済みドキュメントを入力し、データ評価、解析手段４２４に出力する。データ評価、解析手段４２４は、記録済みドキュメントに基づいて、記録された属性値（マーカー色）の設定状況を解析して評価処理を行なう。
【００７２】
評価情報は、オペレータ指示情報生成手段４２５に入力される。オペレータ指示情報生成手段４２５は、予め規定の評価情報に対応付けられた指示情報を情報処理装置内の記憶部から取得して、オペレータ指示情報を生成する。この生成指示情報は、データ合成手段４２６に入力される。
【００７３】
データ合成手段４２６は、オペレータ指示情報生成手段４２５の生成した指示情報と、スキャナ４２１または記憶部４２２から入力する処理対象ドキュメントとのデータ合成処理を実行する。例えば、属性値に対応するマーカー色の変更情報の要否情報を含む指示情報が記録された指示情報を含む合成ドキュメントを生成する。データ合成手段４２６の生成したデータは、データ出力手段４２７において出力される。データ出力手段４２７は、先に、図７〜図９を参照して説明したドキュメント４３０を出力する。すなわち、属性値（マーカー色）の付与対象としての原稿領域４３１と、評価結果に基づいて生成されたオペレーション指示情報を記録したオペレーション指示情報領域４３２を有するドキュメント４３０を出力する。
【００７４】
オペレーション指示情報領域には、評価に基づくオペレーション指示情報が記録される。オペレータはこれらの指示情報を確認して、マーカーによる属性値付与を行なう。この指示処理よって、過去に実行されたミスの再発を効率的に防止することができる。
【００７５】
図１２を参照して説明した情報処理装置における処理シーケンスについて、図１３に示すフローチャートを参照して説明する。まず、ステップＳ２０１において、スキャナまたは記憶部から属性値（マーカー色）の付与処理の済んだ記録済みドキュメントを入力する。ステップＳ２０２において、データ評価、解析手段４２４において記録済みドキュメントの評価処理、すなわち、記録された属性値（マーカー色）の設定状況の解析による評価処理を行なう。
【００７６】
ステップＳ２０３において、オペレータ指示情報生成手段４２５は、予め規定の評価情報に対応付けられた指示情報を情報処理装置内の記憶部から取得して、オペレータ指示情報を生成する。ステップＳ２０５において、この生成指示情報が、データ合成手段４２６に入力される。ステップＳ２０６において、データ合成手段４２６は、オペレータ指示情報生成手段４２５の生成した指示情報と、スキャナ４２１または記憶部４２２から入力する処理対象ドキュメントとのデータ合成処理を実行する。
【００７７】
ステップＳ２０７において、データ合成手段４２６の生成したデータが、データ出力手段４２７において出力される。この出力ドキュメントは、属性値（マーカー色）の付与対象としての原稿領域と、評価結果に基づいて生成されたオペレーション指示情報を記録したオペレーション指示情報領域を有するドキュメントである。
【００７８】
最後に、図１４を参照して、本発明の情報処理装置のハードウェア構成例について説明する。図１４に示す構成は、例えばＰＣなどによって構成される情報処理装置であり、スキャナ等のデータ読み取り部５３１と、プリンタなどのデータ出力部５３２を備えたハード構成例を示している。
【００７９】
ＣＰＵ（Central Processing Unit）５０１は、上述の実施例において説明した各種のデータ処理、すなわちデータ合成処理、データ評価、解析処理、指示情報生成処理、出力情報生成処理等の各処理の実行シーケンスを記述したコンピュータ・プログラムに従った処理を実行する制御部である。
【００８０】
ＲＯＭ（Read Only Memory）５０２は、ＣＰＵ５０１が使用するプログラムや演算パラメータ等を格納する。ＲＡＭ（Random Access Memory）５０３は、ＣＰＵ５０１の実行において使用するプログラムや、その実行において適宜変化するパラメータ等を格納する。これらはＣＰＵバスなどから構成されるホストバス５０４により相互に接続されている。
【００８１】
ホストバス５０４は、ブリッジ５０５を介して、ＰＣＩ(Peripheral Component Interconnect/Interface)バスなどの外部バス５０６に接続されている。
【００８２】
キーボード５０８、ポインティングデバイス５０９は、ユーザにより操作される入力デバイスである。ディスプレイ５１０は、液晶表示装置またはＣＲＴ（Cathode Ray Tube）などから成り、各種情報をテキストやイメージ情報として表示する。
【００８３】
ＨＤＤ（Hard Disk Drive）５１１は、ハードディスクを内蔵し、ハードディスクを駆動し、ＣＰＵ５０１によって実行するプログラムや情報を記録または再生させる。ハードディスクは、入力されたドキュメントや、属性値付与ドキュメントデータ、指示データ、評価情報などを格納する。さらに、各種のデータ処理プログラム等、各種コンピュータ・プログラムが格納される。
【００８４】
ドライブ５１２は、装着されている磁気ディスク、光ディスク、光磁気ディスク、または半導体メモリ等のリムーバブル記録媒体５２１に記録されているデータまたはプログラムを読み出して、そのデータまたはプログラムを、インタフェース５０７、外部バス５０６、ブリッジ５０５、およびホストバス５０４を介して接続されているＲＡＭ５０３に供給する。リムーバブル記録媒体５２１も、ハードディスクと同様のデータ記録領域として利用可能である。
【００８５】
接続ポート５１４は、外部接続機器５２２を接続するポートであり、ＵＳＢ，ＩＥＥＥ１３９４等の接続部を持つ。接続ポート５１４は、インタフェース５０７、および外部バス５０６、ブリッジ５０５、ホストバス５０４等を介してＣＰＵ５０１等に接続されている。通信部５１５は、ネットワークに接続され、外部とのデータ通信処理を実行する。データ読み取り部５３１は、ドキュメントの読み取り処理を実行し、データ出力部５３２は、ドキュメントデータの出力処理を実行する。
【００８６】
なお、図１４に示す情報処理装置のハードウェア構成例は、１つの装置例を示すものであり、本発明の情報処理装置は、図１４に示す構成に限らず、上述した実施例において説明した処理を実行可能な構成であればよい。
【００８７】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００８８】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００８９】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００９０】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００９１】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００９２】
以上、説明したように、本発明の構成によれば、文書ドキュメントの各領域に属性値を付与し、属性値を付与したドキュメント画像から属性を取得し、これらの取得属性に基づくドキュメント対応のインデックスを設定したデータ処理、あるいはデータベース化処理を行なう情報処理構成において、例えば各種のマーカー色によって属性値を付与する処理における指示情報、評価情報を活用し、属性値の付与処理を実行するオペレータに対して適切な指示を提供可能としたので、例えば再処理を行なう際に、前回と同じミスの発生を防止し、さらに新たな処理における注意事項などを知ることが可能となり、効率的で正確なインデックス付与およびドキュメントデータ管理処理が実現される。
【図面の簡単な説明】
【００９３】
【図１】追記部インデックス化処理を利用したドキュメントに対するデータ処理の一般的処理例について説明する図である。
【図２】追記部インデックス化処理を利用したインデックス設定例について説明する図である。
【図３】追記部インデックス化処理を利用したドキュメントに対するデータ処理の一般的処理例について説明する図である。
【図４】本発明の情報処理装置の実行する追記部インデックス化処理を利用したドキュメントに対するデータ処理例について説明する図である。
【図５】本発明の情報処理装置の実行する追記部インデックス化処理を利用したドキュメントに対するデータ処理例について説明する図である。
【図６】本発明の情報処理装置の実行する追記部インデックス化処理を利用したドキュメントに対するデータ処理例について説明する図である。
【図７】本発明の情報処理装置の実行する追記部インデックス化処理を利用したドキュメントに対するデータ処理例について説明する図である。
【図８】本発明の情報処理装置の実行する追記部インデックス化処理を利用したドキュメントに対するデータ処理例について説明する図である。
【図９】本発明の情報処理装置の実行する追記部インデックス化処理を利用したドキュメントに対するデータ処理例について説明する図である。
【図１０】本発明の情報処理装置の構成例について説明する図である。
【図１１】本発明の情報処理装置の実行する処理のシーケンスを説明するフローチャートを示す図である。
【図１２】本発明の情報処理装置の構成例について説明する図である。
【図１３】本発明の情報処理装置の実行する処理のシーケンスを説明するフローチャートを示す図である。
【図１４】本発明の情報処理装置のハードウェア構成例について説明する図である。
【符号の説明】
【００９４】
１１  原本ドキュメント
１２  第１追記ドキュメント
５１  情報処理装置
５２  プリンタ
５３  スキャナ
５４  データベース
７１  ドキュメントデータファイル
１０１  ドキュメント
１０２  マーカー追記ドキュメント
１０３  マーカー記録データ
１０４  インデックスデータ
２０１  ドキュメント
２０２  指示情報データ
２０３  紙ドキュメント
２１１  原稿領域
２１２  指示情報領域
２１３  コメント記入領域
２２１  原稿領域
２２２  指示情報領域
２２３  コメント記入領域
２３１  紙ドキュメント
２４１  スキャナ
２５１  ドキュメント
２５２  記入済みドキュメント
２７１  オペレーション指示情報
２８１  ドキュメント
２８２  原稿領域
２８３  オペレーション指示情報領域
３００  情報処理装置
３０２  プリンタ
４００  情報処理装置
４０１  スキャナ
４０２  記憶部
４０３  データ入力手段
４０４  データ合成手段
４０５  データ出力手段
４１０  ドキュメント
４１１  原稿領域
４１２  指示情報領域
４１３  コメント記入領域
４２０  情報処理装置
４２１  スキャナ
４２２  記憶部
４２３  データ入力手段
４２４  データ評価、解析手段
４２５  オペレータ指示情報生成手段
４２６  データ合成手段
４２７  データ出力手段
４３０  ドキュメント
４３１  原稿領域
４３２  オペレータ指示情報領域
５０１  ＣＰＵ(Central Processing Unit)
５０２  ＲＯＭ（Read-Only-Memory）
５０３  ＲＡＭ（Random Access Memory）
５０４  ホストバス
５０５  ブリッジ
５０６  外部バス
５０７  インタフェース
５０８  キーボード
５０９  ポインティングデバイス
５１０  ディスプレイ
５１１  ＨＤＤ（Hard Disk Drive）
５１２  ドライブ
５１４  接続ポート
５１５  通信部
５２１  リムーバブル記録媒体
５２２  外部接続機器
５３１  データ読み取り部
５３２  データ出力部
【図２】
2007219682.tif 000003
【図４】
2007219682.tif 000004
【図９】
2007219682.tif 000005
【図１０】
2007219682.tif 000006
【図１１】
2007219682.tif 000007
【図１２】
2007219682.tif 000008
【図１３】
2007219682.tif 000009
【図１４】
2007219682.tif 000010
【図１】
2007219682.tif 000011
【図３】
2007219682.tif 000012
【図５】
2007219682.tif 000013
【図６】
2007219682.tif 000014
【図７】
2007219682.tif 000015
【図８】
2007219682.tif 000016